【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
誘導電力送信器のための物体検出システムであって、
励起コイルと、
検出コイルと、を備え、
前記システムは、前記励起コイルへの励起電流の印加に応じた前記検出コイルにおける複素インピーダンスの指標を決定するよう構成され、
前記システムはさらに、複素インピーダンスの前記指標を用いて、物体の存在およびその物体のタイプを検出するよう構成される、物体検出システム。
【請求項２】
前記複素インピーダンスの位相の変化に応じた前記検出コイルにおける第１タイプの物体、
前記複素インピーダンスの大きさの変化に応じた第２タイプの物体、
前記複素インピーダンスの大きさのしきい値を超えた低下に応じた第３タイプの物体、のうちのひとつ以上を検出するようさらに構成される請求項１に記載の物体検出システム。
【請求項３】
所定の第１範囲内における複素インピーダンスの前記指標の極形式での大きさの変化を決定することに応じた前記検出コイルにおける受信器タイプの物体、
所定の第２範囲内における複素インピーダンスの前記指標の極形式での大きさの変化を決定することに応じた前記検出コイルにおける異物タイプの物体、のうちのひとつ以上を検出するようさらに構成される請求項１に記載の物体検出システム。
【請求項４】
所定の第１範囲内における複素インピーダンスの前記指標の前記極形式での大きさの変化を決定することは、複素インピーダンスの前記指標の前記極形式での大きさの受信器検出しきい値を超えた増大を決定することを含み、
所定の第２範囲内における複素インピーダンスの前記指標の前記極形式での大きさの変化を決定することは、複素インピーダンスの前記指標の極形式での大きさの異物検出しきい値を超えた低下を決定することを含む請求項３に記載の物体検出システム。
【請求項５】
極形式での大きさの増大または低下を決定することは、極形式での大きさの現在の指標と極形式での大きさの過去の指標との比を算出することによって決定される請求項４に記載の物体検出システム。
【請求項６】
複素インピーダンスの前記指標は、前記検出コイルの電圧の同相成分および直交成分から決定される請求項１から５のいずれか一項に記載の物体検出システム。
【請求項７】
複数の検出コイルのアレイをさらに備え、
各検出コイルにおいて複素インピーダンスの指標を決定することができる請求項１から６のいずれか一項に記載の物体検出システム。
【請求項８】
前記複数の検出コイルのグループにおける、複素インピーダンスの所定の指標からの変化の統計的分散を算出するようさらに構成され、
前記システムは、前記統計的分散が統計的分散検出しきい値を上回ることに応じて物体の存在および物体のタイプを検出するよう構成される請求項７に記載の物体検出システム。
【請求項９】
請求項１から８のいずれか一項に記載の物体検出システムを備える誘導電力送信器。
【請求項１０】
誘導電力移送（ＩＰＴ）フィールドを生成するよう構成された少なくともひとつの電力伝送コイルを備え、
前記物体検出システムは前記ＩＰＴフィールドから実質的に分離されている請求項９に記載の誘導電力送信器。
【請求項１１】
前記励起コイルおよび／または前記検出コイルは、各ループにおける前記ＩＰＴフィールドからの実質的に一様な磁束のために構成された二重カウンター巻きループである請求項１０に記載の誘導電力送信器。
【請求項１２】
誘導電力移送（ＩＰＴ）フィールドを生成するよう構成された少なくともひとつの電力伝送コイルを備え、
前記物体検出システムは前記電力伝送コイルを前記励起コイルとして用いる請求項９に記載の誘導電力送信器。
【請求項１３】
前記物体検出システムによる物体の存在およびその物体のタイプの検出に依存して、前記送信器と受信器との間の誘導電力移送が制御される請求項９から１２のいずれか一項に記載の誘導電力送信器。
【請求項１４】
誘導電力移送（ＩＰＴ）フィールドを生成するよう構成された少なくともひとつの電力伝送コイルと、
前記ＩＰＴフィールド内のまたはそれに隣接した物体を検出するよう構成された物体検出システムと、を備え、
前記物体検出システムは前記ＩＰＴフィールドから実質的に周波数的に分離されているかまたは磁場的に分離されている誘導電力送信器。
【請求項１５】
前記物体検出システムは前記ＩＰＴフィールドから実質的に周波数的に分離されている請求項１４に記載の送信器。
【請求項１６】
前記物体検出システムは前記ＩＰＴフィールドから実質的に磁場的に分離されている請求項１４に記載の送信器。
【請求項１７】
前記物体検出システムはひとつ以上の励起コイルとひとつ以上の検出コイルとを備え、前記励起コイルおよび／または前記検出コイルを通る前記ＩＰＴフィールドからの全磁束が最小化される請求項１４から１６のいずれか一項に記載の送信器。
【請求項１８】
前記励起コイルおよび／または前記検出コイルは、
各ループにおける前記ＩＰＴフィールドからの実質的に一様な磁束のために構成された二重カウンター巻きループ、
前記ＩＰＴフィールドからの実質的に一様な量の対向磁束のために構成された単一巻きループ、
各ループにおける前記ＩＰＴフィールドからの実質的に非一様な磁束のために構成された、各ループにおける非一様なループサイズおよび／または非一様な巻き数を伴う二重カウンター巻きループ、からなるグループから選択される請求項１７に記載の送信器。
【請求項１９】
前記ＩＰＴフィールドにおける複数のヌルは、前記検出コイルのより低い感度の領域と実質的に一致するよう構成される請求項１７または１８に記載の送信器。
【請求項２０】
各励起コイルおよび／または検出コイルは、前記少なくともひとつの伝送コイルに関連付けられた対応するＩＰＴ磁性コアの周りに配置される請求項１７から１９のいずれか一項に記載の送信器。
【請求項２１】
前記励起コイルおよび前記検出コイルは、プリント回路基板の同じ側に設けられる請求項１７から２０のいずれか一項に記載の送信器。
【請求項２２】
前記物体検出システムは前記励起コイルへの駆動信号を前記検出コイルからの検出信号と混合または乗算するよう構成されたミキサを備える請求項１７から２１のいずれか一項に記載の送信器。
【請求項２３】
前記駆動信号は９０度位相切り替えされている請求項２２に記載の送信器。
【請求項２４】
前記物体検出システムは前記位相切り替えされたミキサ出力に基づいて、前記検出信号の前記大きさおよび前記位相を決定するよう構成される請求項２２または２３に記載の送信器。
【請求項２５】
前記物体検出システムは、前記検出信号の前記決定された大きさおよび位相から極形式での大きさを決定するよう、かつ、現在決定された極形式での大きさと過去に決定された極形式での大きさとの比を算出することで前記比の時間に亘る増減を検出するよう、構成される請求項２３に記載の送信器。
【請求項２６】
複数の前記検出コイルからの前記検出信号はマルチプレクサに接続される請求項２３に記載の送信器。
【請求項２７】
前記物体検出システムは、
所定の物体を所定の位置に置くことと、
前記伝送コイル、前記励起コイルおよび／または前記検出コイル間の位相シフトを所定のひとつ以上のパラメータに対して比べることと、
所定のフィールドを生成して前記検出コイルの出力を所定のひとつ以上のパラメータに対して比べることと、に基づいてひとつ以上の物体決定パラメータを較正および／または調整するよう構成される請求項１７から２６のいずれか一項に記載の送信器。
【請求項２８】
前記物体検出システムは方向性である請求項１４から２７のいずれか一項に記載の送信器。
【請求項２９】
前記物体検出システムは検出された物体のタイプおよび／または位置を決定するよう構成される請求項１４から２８のいずれか一項に記載の送信器。
【請求項３０】
前記タイプは、金属物体、磁性物体および誘導電力受信器からなるグループから選択される請求項２９に記載の送信器。
【請求項３１】
誘導電力送信器の近くの物体の存在およびタイプを検出する方法であって、
励起コイルへの励起電流の印加に応じた検出コイルにおける複素インピーダンスの指標を決定することであって、両方のコイルは前記誘導電力送信器の近くにある、決定することと、
複素インピーダンスの前記指標を用いて、物体の存在およびその物体のタイプを検出することと、を含む方法。
【請求項３２】
所定の第１範囲内における複素インピーダンスの前記指標の極形式での大きさの変化を決定することに応じた受信器タイプの物体、
所定の第２範囲内における複素インピーダンスの前記指標の極形式での大きさの変化を決定することに応じた異物タイプの物体、を検出することをさらに含む請求項３１に記載の方法。